(57)【要約】【課題】スーツ収納袋や布団収納袋等の、頻繁に収納物を出し入れしない、あるいは長く使用しない用途の収納袋に用いるのに適した性能のスライドファスナーを提供する。【解決手段】２枚の支持テープの対向する端縁部分のそれぞれに、エレメントを並列に取着し、前記エレメントを対にして嵌合、分離するスライダーを該エレメント列に沿って往復自在に備えたスライドファスナーにおいて、前記支持テープは、不織布を素材とする支持テープであることを特徴とするスライドファスナー。【選択図】なし【特許請求の範囲】
【請求項１】
２枚の支持テープの対向する端縁部分のそれぞれに、エレメントを並列に取着し、前記エレメントを対にして嵌合、分離するスライダーを該エレメント列に沿って往復自在に備えたスライドファスナーにおいて、前記支持テープは、不織布を素材とするテープであることを特徴とするスライドファスナー。
【請求項２】
前記支持テープの端縁部分は熱溶断により塊状部が形成されていることを特徴とする請求項１記載のスライドファスナー
【請求項３】
前記支持テープの端縁部分が、二層に折り重ねられていることを特徴とする請求項１記載のスライドファスナー。
【請求項４】
請求項１ないし３記載のスライドファスナーを用いたスーツ収納袋。
【請求項５】
請求項１ないし３記載のスライドファスナーを用いた布団収納袋。
【発明の詳細な説明】
【０００１】
【発明の属する技術分野】
本発明は、スーツ収納袋や布団収納袋等の、頻繁に収納物を出し入れしない、あるいは長く使用しないような用途の収納袋に用いるのに適したスライドファスナーに関するものである。
【０００２】
【従来技術】
従来、スーツ収納袋や布団収納袋等にも、衣料や靴等に用いられるスライドファスナーと同様に、支持テープとして織布を用いたスライドファスナーが用いられている。
【０００３】
このようなスライドファスナーは、エレメントが、織布の支持テープの経糸又は緯糸に、縫付け糸により、縫い込むまれることによって、支持テープにしっかりと固定されているので、スライドファスナーの開閉の際、エレメントがスライダーによって引張られても、エレメントは支持テープから、容易に外れない。したがって、衣料や靴等の頻繁に開閉が行なわれる、あるいは長く使用する用途の物品には、このような織布の支持テープを用いたスライドファスナーを用いることが適する。
【０００４】
【本発明が解決しようとする課題】
しかしながら、スーツ収納袋等の収納袋は使い捨てもしくは使用寿命が短く、また布団収納袋等の収納袋は使用頻度が少ないので、これら収納袋に適用されるスライドファスナーとして、織布の支持テープを用いたものは、要求品質をはるかに超える高品質のもの、言い換えると必要以上に高性能のスライドファスナーとなり、また支持テープとして織布を用いているため製造コストが高いという問題点があった。
【０００５】
本発明は、かかる従来の事情を考慮してなされたものであって、その課題とするところは、スーツ収納袋や布団収納袋等の、頻繁に収納物を出し入れしない、あるいは長く使用しない用途の収納袋に用いるのに適した性能のスライドファスナーの提供にある。
【０００６】
【課題を解決するための手段】
本発明は、前記課題を解決するために、工夫されたものであり、より詳しくは、２枚の支持テープの対向する端縁部分のそれぞれに、エレメントを並列に取着し、前記エレメントを対にして嵌合、分離するスライダーを該エレメント列に沿って往復自在に備えたスライドファスナーにおいて、前記支持テープは、不織布を素材とするテープであることを特徴とするスライドファスナーに関する。
【０００７】
本発明の好ましい態様は、前記支持テープの端縁部分は熱溶断により塊状部が形成されていることを特徴とするスライドファスナーに関する。
【０００８】
更に本発明の好ましい態様は、前記支持テープの端縁部分が、二層に折り重ねられていることを特徴とするスライドファスナーに関する。
【０００９】
また、本発明の別の好ましい態様は、上記の各スライドファスナーのいずれかを用いたスーツ収納袋に関する。
【００１０】
本発明の更なる別の態様は、上記の各スライドファスナーのいずれかを用いた布団収納袋に関する。
【００１１】
【発明の実施の形態】
以下、本発明を図面を参照して詳しく説明する。
【００１２】
図１に図示するスライドファスナー１は、太めのモノフィラメントがコイル状に成形されたエレメント６と２枚の不織布を素材とする支持テープ２、３とスライダー１０から構成され、２枚の不織布を素材とする支持テープ２、３のそれぞれ端縁部分４、５にエレメント６を並列に取着し、エレメント６を対にして嵌合、分離するスライダー１０をエレメント６列に沿って往復自在にスライド移動させることによって、エレメント６が噛み合って閉まり、或いは外れて開くようになっている。
【００１３】
エレメント６やスライダー１０の素材としては、従来から用いられているものと同様に、真鍮等の金属や、ナイロン、ポリプロピレン等の合成樹脂が用いられている。
【００１４】
支持テープ２、３としては、ポリエステル等の合成繊維や綿繊維からなる織物に代えて、ポリプロピレン等の合成繊維や綿繊維等の不織布を、スリッターにより任意の幅に切断したものが用いられている。
【００１５】
このようなスライドファスナー１は、図２及び図３に示すように、エレメント６のうち歯部分７を突出させ、根本側の縫付け部８を縫付け糸９により、二本の支持テープ２、３のそれぞれの対向する端縁部分４、５に縫い込むことによって、エレメント６を二本の支持テープ２、３に固定し、そのエレメント６が固定された二本の支持テープ２、３に、スライダー１０を取付けることによって製造される。
【００１６】
支持テープ２、３として不織布を用いて製造されたスライドファスナー１は、エレメント６が縫付け糸９により、支持テープ２、３の不織布組織に弱く縫い込まれ固定されているだけなので、スライドファスナー１の開閉が数万回行なわれ、その際何度もエレメント６がスライダー１０によって引張られると、やがて、エレメント６を固定する縫付け糸９が切れ、そのためエレメント６が支持テープ２、３から外れてしまうおそれがある。しかしながら、数百回程度の開閉を行なっても、その際何度かエレメント６がスライダー１０によって引張られるかもしれないが、その程度の開閉頻度では、エレメント６が支持テープ２、３から容易に外れないくらいの十分な強度を有する。
【００１７】
よってスーツ収納袋や布団収納袋等の、頻繁に収納物を出し入れしない、あるいは長く使用しない用途の収納袋に用いるスライドファスナー１の性能としては、このような支持テープ２、３として不織布を用いたスライドファスナーでも十分である。また、支持テープとして、織布ではなく、不織布を用いているので、従来よりも安く製造することができる。
【００１８】
また支持テープ２、３として不織布を用いた本発明のスライドファスナー１において、更にエレメント６が支持テープ２、３から外れにくくするために、図４に示したような端縁部分４、５が熱により溶断され、塊状部１１が形成された支持テープ２、３を用いることが好ましい。
【００１９】
すなわち支持テープ２、３として、端縁部分４、５が熱により溶断され、塊状部１１が形成された不織布を用いることにより、製造されたスライドファスナー１は、スライドファスナー１の開閉時、エレメント６がスライダー１０によって引張られても、エレメント６を固定する縫付け糸９は、塊状部１１の存在によりほどけにくくなり、よって更にエレメント６が支持テープ２、３から外れにくい。
【００２０】
また、支持テープ２、３として不織布を用いた本発明のスライドファスナー１において、エレメント６が、支持テープ２、３から外れにくくするために、別の方法として、図５に示したような端縁部分４，５が、二層に折り重ねられている不織布を支持テープ２、３として用いることもより好ましい。
【００２１】
すなわち、支持テープ２、３として、端縁部分４、５が二層に折り重ねられている不織布を用いることにより、エレメント６を固定する縫付け糸９は、よりしっかりと不織布に固定される。よってスライドファスナー１の開閉時、エレメント６がスライダー１０によって引張られても、エレメント６が支持テープ２、３から外れにくくなる。
【００２２】
図６は、本発明のスライドファスナー１を用いたスーツ収納袋１２の全体図である。また図７は、本発明のスライドファスナー１を用いた布団収納袋１３の斜視図である。これらの収納袋は、収納物を頻繁に出し入れしたり、あるいは長く使用しないものなので、従来の、支持テープ２、３として織布を用いた高性能のスライドファスナーではなく、本発明の、織布の代わり不織布を用いて製造されたスライドファスナーの性能でも十分である。しかも織布ではなく不織布を用いることにより従来よりも低コストで製造することができる。
【００２３】
【発明の効果】
以上説明したように本発明によれば、適度に開閉が行なわれても、エレメントが支持テープから外れないくらいの十分な強度を有し、スーツ収納袋等の使い捨てもしくは使用寿命の短い用途の収納袋あるいは布団収納袋等の使用頻度の少ない用途の収納袋に用いられるのに適した性能のスライドファスナーが低コストで提供できるという効果がある。
【図面の簡単な説明】
【図１】本発明のスライドファスナーの正面図を示す。
【図２】本発明のスライドファスナーの、不織布製の支持テープへのエレメントの取り付け工程における、支持テープの正面図を示す。
【図３】本発明のスライドファスナーの、不織布製の支持テープへのエレメントの取り付け工程における、支持テープの背面図を示す
【図４】本発明のスライドファスナーの、端縁部分が熱溶断されている不織布製の支持テープへのエレメントの取り付け工程における、支持テープの正面図を示す。
【図５】本発明のスライドファスナーの、端縁部分が二層に折り重ねられている不織布製の支持テープへのエレメントの取り付けの工程における、支持テープの正面図を示す。
【図６】本発明のスライドファスナーを用いたスーツ収納袋の正面図を示す。
【図７】本発明のスライドファスナーを用いた布団収納袋の斜視図を示す。
【符号の説明】
１．スライドファスナー  ２，３．支持テープ  ４，５．端縁部分  ６．エレメント  ７．歯部分  ８．縫付け部  ９．縫付け糸  １０．スライダー  １１．塊状部  １２．スーツ収納袋  １３．布団収納袋
【図１】
2004275577.tif 000002
【図２】
2004275577.tif 000003
【図３】
2004275577.tif 000004
【図４】
2004275577.tif 000005
【図５】
2004275577.tif 000006
【図６】
2004275577.tif 000007
【図７】
2004275577.tif 000008